(57)【要約】【課題】  対象魚の餌となる小魚や昆虫などの形態を模倣した形状の本体が前後に分割されたルアーにおいて、泳動時に前本体と後本体とが接触することなく、対象魚の好む餌の動きを忠実に再現することができ、かつ、ラインアイの取り付け位置を自由に選択することができるルアーを提供する。【解決手段】  本体を前後に分割してなる前・後本体と該前本体と該後本体とを連結する連結手段とを有するルアーにおいて、前記前本体前面部の幅方向中央部を挟んで両側に取水口を形成すると共に、前本体後面部の幅方向中央部を挟んで両側であり、かつ、前記後本体前面部と対向する位置に排水口を形成し、取水口から取り込まれた水を前本体内部を通過させて排水口から排出させる。【選択図】  図１
2005229910.tif 000002
【特許請求の範囲】
【請求項１】
本体を前後に分割してなる前・後本体と該前本体と該後本体とを連結する連結手段とを有するルアーにおいて、前記前本体前面部の幅方向中央部を挟んで両側に取水口が形成されていると共に、前本体後面部の幅方向中央部を挟んで両側であり、かつ、前記後本体前面部と対向する位置に排水口が形成されており、取水口から取り込まれた水が前本体内部を通過して排水口から排出されることを特徴とするルアー。
【請求項２】
取水口と排水口とが同数形成されており、対となる取水口と排水口とが前本体内部を貫通する通水路によって連通されている請求項１記載のルアー。
【請求項３】
前本体後面部の幅方向中央部を挟んで一方側に位置する排水口の排出水流と他方側に位置する排水口の排出水流の強さが異なっている請求項１又は２記載のルアー。
【請求項４】
前本体及び／又は後本体が芯部と該芯部を覆う被覆部とから構成されている請求項１乃至３いずれかに記載のルアー。
【請求項５】
芯部が硬質材料によって形成されており、被覆部が軟質材料によって形成されている請求項４記載のルアー。
【請求項６】
硬質材料が木材、硬質発泡樹脂及びＡＢＳ樹脂から選ばれる材料であり、軟質材料がポリ塩化ビニル、エラストマー及びシリコーン樹脂から選ばれる材料である請求項５記載のルアー。
【発明の詳細な説明】
【技術分野】
【０００１】
本発明は、バスフィッシングなどに使用されるルアーに関するものである。
【背景技術】
【０００２】
周知の通り、バスフィッシングなどに使用されるルアーは、釣りの対象とする魚（以下、「対象魚」という）に警戒心を抱かせないため、対象魚の餌となる小魚や昆虫などの形態を模倣した外観形状に成形されている。
【０００３】
ところが、釣りブームによる釣り人口の増加に伴ってルアーと遭遇する機会が増した対象魚は、ルアーに対する警戒心が非常に強くなり、前記従来のルアーでは釣果を得難くなったため、近年においては、外観形状を模倣するだけでなく、ロッドやリールによる操作によって対象魚の好む餌に近い泳動動作を再現させることができるルアーが多数開発されている。
【０００４】
その一つとして、後出非特許文献１には、魚の形態を模倣した形状の本体を前後に分割してなる前本体及び後本体と、前本体と後本体とを連結する連結手段とを有するルアーであって、前本体の前下部から前方斜め下に向かって突出させた水受け板を有するルアーが開示されている。
【０００５】
また、後出特許文献１には、流体供給路を設けた本体と、左右のアームを有する頭部と脚部とから略Ｔ字型に形成された揺動子とからなり、揺動子の脚部を該流体供給路に遊嵌し、揺動子の頭部をピンを介して本体に設けた長孔内を左右に移動可能に装着し、脚部の先端部位の一側が流体供給路壁に当接し、該当接側と反対側のアームが流体供給路の排出口を閉鎖するようにし、流体供給路壁と揺動子の脚部との隙間に流れ込む流体の圧力で該揺動子を揺動させるように構成してあり、流体を継続して供給することにより揺動子が左右に往復揺動するようにした揺動装置を用いた魚釣り用ルアーであって、本体を魚に擬似した形状にし、魚の口を流体供給路に連通する流体供給口とすると共に、魚の尾部に該当する部位に前記揺動子の頭部を内蔵させて尾部を該頭部に装着し、魚の口から水が流れ込むことにより魚の尾部が左右に動くようにした魚釣り用ルアーが開示されている。
【０００６】
しかし、前記非特許文献１に開示されたルアーは、泳動時において水受け板に対して水流抵抗を受けることにより、前本体後部を左右方向に揺動させながら泳動するが、この時、本体が「く」の字状に屈曲し、前本体後部と後本体前部とが激しく接触するため、ルアーの泳動動作が不自然（機械的）になると共に、大きな接触音が生じ、対象魚に対して警戒心を抱かせてしまうという問題点があった。
【０００７】
また、前記特許文献１に開示されたルアーも、泳動時において本体と揺動子とが激しく接触する機構を採用しているため、前記非特許文献１に開示されたルアーと同様の問題点があり、さらに、構造上各部品の形状や組立てに精度が要求されるため、成型段階や組立段階において手間がかかり、製品価格が高くなるという問題点もあった。
【０００８】
また、釣糸を結び付けるラインアイの取り付け位置はルアーの泳動動作を決定付ける重要な要素となっており、通常、ラインアイはルアーの泳動動作を安定させるために本体前面部の幅方向中央部に取り付けられるが、前記特許文献１に開示されたルアーにおいては、本体前面部の幅方向中央部に流体供給口が形成されているため、ラインアイの取り付け位置が制限されると共に、ラインアイの取り付け位置を優先させると、流体供給口の開口面積が制限されてしまうという問題点があった。
【非特許文献１】「ＢＡＳＳ／バスワールド」・株式会社えい出版社・２００３年１１月１日発行・第７巻第１１号通巻９９号・４６頁
【特許文献１】特開平８−４６４２号公報（第２頁、図４）
【発明の開示】
【発明が解決しようとする課題】
【０００９】
そこで、本発明は、対象魚の餌となる小魚や昆虫などの形態を模倣した形状の本体が前後に分割されたルアーにおいて、泳動時に前本体と後本体とが激しく接触することなく、対象魚の好む餌の動きを忠実に再現することができ、かつ、ラインアイの取り付け位置を自由に選択することができるルアーを得ることを技術的課題として、その具現化をはかるべく研究・実験を重ねた結果、本体を前後に分割してなる前・後本体と該前本体と該後本体とを連結する連結手段とを有するルアーにおいて、前記前本体前面部の幅方向中央部を挟んで両側に取水口を形成すると共に、前本体後面部の幅方向中央部を挟んで両側であり、かつ、前記後本体前面部と対向する位置に排水口を形成したので、取水口から取り込まれた水が前本体内部を通過して排水口から排出されることにより、前本体後面部に形成された排水口から後本体前面部に向かう水流抵抗が発生し、これにより、泳動時における本体の屈曲に伴う前本体後部と後本体前部との衝突速度が減速され、前本体と後本体とが激しく接触しなくなり、接触音を小さくできると共に、自然で滑らかな泳動動作を再現できるという刮目すべき知見を得、前記技術的課題を達成したものである。
【課題を解決するための手段】
【００１０】
前記技術的課題は、次の通りの本発明によって解決できる。
【００１１】
即ち、本発明に係るルアーは、本体を前後に分割してなる前・後本体と該前本体と該後本体とを揺動可能に連結する連結手段とを有するルアーにおいて、前記前本体前面部の幅方向中央部を挟んで両側に取水口が形成されていると共に、前本体後面部の幅方向中央部を挟んで両側であり、かつ、前記後本体前面部と対向する位置に排水口が形成されており、取水口から取り込まれた水が前本体内部を通過して排水口から排出されるものである。
【００１２】
また、本発明は、前記ルアーにおいて、取水口と排水口とが同数形成されており、対となる取水口と排水口とが前本体内部を貫通する通水路によって連通されているものである。
【００１３】
また、本発明は、前記いずれかのルアーにおいて、前本体後面部の幅方向中央部を挟んで一方側に位置する排水口の排出水流と他方側に位置する排水口の排出水流の強さが異なるものである。
【００１４】
また、本発明は、前記いずれかのルアーにおいて、前本体及び／又は後本体が芯部と該芯部を覆う被覆部とから構成されているものである。
【００１５】
また、本発明は、前記ルアーにおいて、芯部が硬質材料によって形成されており、被覆部が軟質材料によって形成されているものである。
【００１６】
さらに、本発明は前記ルアーにおいて、硬質材料が木材、硬質発泡樹脂及びＡＢＳ樹脂から選ばれる材料であり、軟質材料がポリ塩化ビニル、エラストマー及びシリコーン樹脂から選ばれる材料のものである。
【発明の効果】
【００１７】
本発明によれば、前本体前面部に形成された取水口から取り込んだ水を前本体後面部の幅方向中央部を挟んで両側に形成された排水口より後本体前面部に向けて排出する構成を採用したので、ルアーの泳動時における前本体と後本体との衝突速度が排出口から排出される水流の抵抗によって減速され、前本体と後本体との激しい接触を回避でき、接触音を軽減させることができると共に、自然な泳動動作を再現できるため、対象魚に対して警戒心を与えることがない。さらに、取水口を前本体前面部の幅方向中央部を挟んで両側に形成したので、ラインアイの取り付け位置が制限されることなく、また、取水口の開口面積を広く形成することができる。
【００１８】
従って、本発明の産業上利用性は非常に高いといえる。
【発明を実施するための最良の形態】
【００１９】
以下、本発明の実施の形態を図面に基づき説明する。
【００２０】
実施の形態１．
【００２１】
図１は本実施の形態に係るルアーを示した斜視図であり、図２は図１に示すルアーの内部構造を示した断面図であり、図３は図１に示すルアーの泳動時の動作状態を示した説明図であり、図４は水受け板を装着させたルアーの泳動時の動作状態を示した説明図である。なお、図２、図３及び図４においてフック及びフックアイは省略されている。これらの図において、１は、魚の形態を模倣した形状の本体２を前後に二分割してなる前本体３及び後本体４と、前本体３と後本体４とを連結する連結手段５と、前本体３前面部の幅方向中央部に設けられたラインアイ６と、前本体３の下面及び後本体４の後端に設けられたフックアイ７，８と、両フックアイ７，８に取り付けられたフック９，１０とからなるルアーである。
【００２２】
前本体３には、図２に示すように、前面部の幅方向中央部を挟んで両側に取水口１１ａ，１１ｂがそれぞれ一つ形成されていると共に、後面部の幅方向中央部を挟んで両側であり、かつ、後本体４前面部と対向する位置に排水口１２ａ，１２ｂがそれぞれ一つ形成されている。そして、本体２を前後方向に走る中心線（図２中、一点鎖線にて示す。）に対して一方側に位置する取水口１１ａと排水口１２ａとが通水路１３ａによって連通されていると共に、前記中心線に対して他方側に位置する取水口１１ｂと排水口１２ｂとが通水路１３ｂによって連通されている。従って、前本体３には、二つの通水路１３ａ，１３ｂが平行に並んだ状態で貫通している。
【００２３】
なお、両排出口１２ａ，１２ｂから排出される水流の強さは、両取水口１１ａ，１１ｂの開口面積、両排水口１２ａ，１２ｂの開口面積及び両通水路１３ａ，１３ｂの断面積や断面形状などを調節して等しくなっている。
【００２４】
連結手段５は、前本体３及び後本体４に取り付けられる一対の連結具１４ａ，１４ｂからなり、連結具１４ａ，１４ｂは、前本体３又は後本体４に埋め込まれる軸部１５と、軸部１５の一方端に設けられた環状部１６とから構成されている。そして、一方の連結具１４ａの軸部１５を前本体３後面部の幅方向中央部に差し込むと共に、他方の連結具１４ｂの軸部１５を後本体４前面部の幅方向中央部に差し込み、両連結具１４ａ，１４ｂの環状部１６を鎖状に繋ぐことによって前本体３と後本体４とが揺動可能に連結されている。
【００２５】
本実施の形態に係るルアー１の使用方法を説明する。
【００２６】
リールから伸びる釣糸の先端部をラインアイ６に結び付けてルアー１をキャスティングしてポイントに着水させる。そして、着水後にリールで釣糸を巻き取ると、ルアー１は、図３に示すように、前本体３前端部を揺動支点として前本体３後部を左右方向に揺動させながら、本体２を「く」の字状に屈曲させて泳動する。この時、前本体３前面部に形成された取水口１１ａ，１１ｂから通水路１３ａ，１３ｂへと流れ込んだ水が前本体３後面部に形成された排水口１２ａ，１２ｂから排出されるため、排水口１２ａ，１２ｂから後本体４前面部へ向かう水流抵抗が発生する。これにより、前本体３に対する後本体４の揺動速度が減速し、釣り対象魚が捕食する魚に近い滑らかな泳動動作を再現することができる。また、前本体３後部と後本体４前部との衝突速度も減速され、接触音が小さくなり、更に場合によっては、前本体３後部と後本体４前部との衝突が回避され、接触音が生じない。
【００２７】
次に、本実施の形態に係るルアー１に前本体３前下部から前方斜め下へと突出する水受け板１７（図１中、点線にて示す。）を装着させた場合には、ルアー１は、図４に示すように、水受け板１７に対して水流抵抗を受けることにより、水受け板１７が装着されていないルアー１よりも僅かに揺動支点を前本体３の後方にずらした状態で前本体３後部を左右方向に揺動させながら、本体２を「く」の字状に屈曲させ、潜行深度を徐々に下げながら泳動する（図４参照）。なお、水受け板１７を装着させたルアー１においても、前記水受け板１７が装着されていないルアー１と同様の作用・効果を得ることができる。
【００２８】
ルアー１の泳動動作（泳動姿勢）は、前本体２前面部の形状、水受け板１７の突出角度や形状又はラインアイの取り付け位置などの条件の組み合わせによって変更することができる。
【００２９】
また、ルアー１の比重は、成形材料や本体２に設置する錘の重さによって調節することができ、比重を水よりも軽く調節した場合には、ルアー１に対して浮上させる力が働き、また、比重を水よりも重く調節した場合には、ルアー１に対して沈下させる力が働き、さらに、比重を水と同じに調節した場合には、ルアー１に対して浮上させる力や沈下させる力が働かなくなる。
【００３０】
また、本体２の外観形状は、魚の形態を模倣した形状に限定されることなく、例えば、昆虫やザリガニ、カエルなどの対象魚が好む餌の形態を模倣した形状に成形してもよい。
【００３１】
実施の形態２．
【００３２】
本実施の形態は前記実施の形態１に係るルアーの変形例であり、図５は本実施の形態に係るルアーの内部構造を示した断面図であり、図６は図５に示すルアーの泳動時の動作状態を示した説明図であり、なお、図５及び図６においてフック及びフックアイは省略されている。これらの図において、図１〜図４と同一符号は同一又は相当部分を示している。
【００３３】
本実施の形態に係るルアー１は、図５に示すように、魚の形態を模倣した形状の本体２の中心線（図５中、一点鎖線にて示す。）に対して一方側に位置する取水口１１ａの開口面積、排水口１２ａの開口面積及び通水路１３ａの断面積が、前記中心線に対して他方側に位置する取水口１１ｂの開口面積、排水口１２ｂの開口面積及び通水路１３ｂの断面積よりも小さく形成されている。従って、排出口１２ａから排出される水流よりも排出口１２ｂから排出される水流の方が強くなる。
【００３４】
連結手段５は、先細形状に形成された後本体４前面部の幅方向中央部に形成された凹部１８に対して上下方向に架け渡された連結柱１９と、前本体３に取り付けられる連結具１４ａとからなり、連結具１４ａは、前本体３に埋め込まれる軸部１５と、軸部１５の一方端に設けられた環状部１６とから構成されている。そして、連結具１４ａの軸部１５を前本体３後面部の幅方向中央部に差し込むと共に、連結具１４ａの環状部１６を連結柱１９に繋ぐことによって前本体３と後本体４とが揺動可能に連結されている。
【００３５】
本実施の形態に係るルアー１を泳動させると、図６に示すように、前本体３後部が進行方向に対して一方側（図６において上側）に揺動した場合には、後本体４が前記中心線に対して他方側に揺動し、この時、排水口１２ｂから排出される水流が強いため、後本体４前面部の受ける水流抵抗が大きくなり、前記中心線に対する後本体４の揺動角度（図６中、「α」にて示す。）が狭くなる。一方、前本体３後部が進行方向に対して他方側（図６において下側）に揺動した場合には、後本体４が前記中心線に対して一方側に揺動し、この時、排水口１２ａから排出される水流が弱いため、後本体４前面部の受ける水流抵抗が小さくなり、前記中心線に対する後本体４の揺動角度（図６中、「β」にて示す。）が広くなる。これにより、釣り対象魚が好んで捕食する弱った魚に近い泳動動作を再現することができる。
【００３６】
実施の形態３．
【００３７】
図７は本実施の形態に係るルアーを示した分解斜視図であり、図８は図７に示すルアーの内部構造を示した断面図であり、なお、図８においてフック及びフックアイは省略されている。これらの図において、図１〜図６と同一符号は同一又は相当部分を示している。
【００３８】
本実施の形態に係るルアーの前本体３は、図７に示すように、砲弾型の芯部２０と、芯部２０を被覆する中空砲弾型の被覆部２１とから構成されており、芯部２０の両側面には、前後方向（長手方向）に走る溝２２ａ，２２ｂが形成されており、被覆部２１の前面部には、幅方向中央部を挟んで両側にそれぞれ開口２３ａ，２３ｂが形成されている。そして、被覆部２１内に芯部２０を挿入し、被覆部２１の開口２３ａ，２３ｂと芯部２０の溝２２ａ，２２ｂとを連通させた状態で固定することにより前本体３が形成される。
【００３９】
従って、前本体３には、図８に示すように、前面部の幅方向中央部を挟んで両側に被覆部２１の開口２３ａ，２３ｂからなる取水口１１ａ，１１ｂが形成されると共に、後面部の幅方向中央部を挟んで両側であり、かつ、後本体４前面部と対向する位置に芯部２０の溝２２ａ，２２ｂ後端と被覆部２１の後端とからなる排水口１２ａ，１２ｂが形成される。そして、本体２の中心線（図８中、一点鎖線にて示す。）に対して一方側に位置する取水口１１ａと排水口１２ａとが芯部２０の溝２２ａと被覆部２１の一方側の内側壁とからなる通水路１３ａによって連通されており、他方側に位置する取水口１１ｂと排水口１２ｂとが芯部２０の溝２２ｂと被覆部２１の他方側の内側壁とからなる通水路１３ｂによって連通されている。
【００４０】
後本体４は、図７に示すように、砲弾型の芯部２４と、芯部２４を被覆する中空砲弾型の被覆部２５とから構成されている。そして、被覆部２５内に芯部２４を挿入固定することにより後本体４が形成される。
【００４１】
なお、芯部２０，２４を形成する材料としては、バルサなどの木材、発泡ウレタンや発泡スチレンなどの硬質発泡樹脂又はＡＢＳ（アクリルニトリル−ブタジエン−スチレン共重合体）などの硬質合成樹脂等を使用すればよい。
【００４２】
また、被覆部２１，２５を形成する材料としては、ポリ塩化ビニルなどの軟質合成樹脂、エラストマー又はシリコーン樹脂等の軟質材料や、硬質発泡樹脂又はＡＢＳ樹脂などの硬質合成樹脂等の硬質材料を使用すればよい。
【００４３】
なお、被覆部２１，２５を軟質材料によって形成した場合には、キャスティングした際の着水音を小さくすることができ、また、障害物に接触しても被覆部によって衝撃が吸収されるので破損し難い。
【００４４】
また、本実施の形態においても前記実施の形態１と同様の作用・効果を得ることができる。
【００４５】
実施の形態４．
【００４６】
本実施の形態は前記実施の形態３における前本体の変形例であり、図９は本実施の形態に係る前本体を示した説明図であり、この図において、図１〜図８と同一符号は同一又は相当部分を示している。
【００４７】
本実施の形態に係る前本体３は、図９の（ａ）に示すように、先細偏平板状の芯部２０と、芯部２０を被覆する中空砲弾型の被覆部２１とから構成されており、被覆部２１の前面部中央には、先端を切り落としてなる開口２６が形成されている。そして、被覆部２１内に芯部２０を挿入し、被覆部２１の開口２６及び内部を芯部２０によって二つに仕切るように位置付けた状態で固定することにより前本体３が形成される。
【００４８】
従って、前本体３には、図９の（ｂ）に示すように、前面部の幅方向中央部を挟んで両側に開口２６を芯部２０で仕切ってなる取水口１１ａ，１１ｂが形成されると共に、後面部の幅方向中央部を挟んで両側に芯部２０の両側壁２７ａ，２７ｂ後端と被覆部２１の後端とからなる排水口１２ａ，１２ｂが形成される。そして、本体２の中心線（図９の（ｂ）中、一点鎖線にて示す。）に対して一方側に位置する取水口１１ａと排水口１２ａとが芯部２０の側壁２７ａと被覆部２１の一方側の内側壁とからなる通水路１３ａによって連通されており、他方側に位置する取水口１１ｂと排水口１２ｂとが芯部２０の側壁２７ｂと被覆部２１の他方側の内側壁とからなる通水路１３ｂによって連通されている。
【００４９】
本実施の形態に係る前本体においても前記実施の形態３に係る前本体と同様の作用・効果を得ることができる。
【００５０】
なお、本発明において、前本体又は後本体を更に前後に分割し、分割された各前本体又は後本体を連結手段によって連結してもよい。
【００５１】
また、本発明における連結手段は、前記各実施の形態のものに限定されることなく、前本体と後本体とを揺動可能に連結できる手段であればよい。
【００５２】
また、本発明における取水口は、前本体前面部の幅方向中央部を挟んで両側にそれぞれ複数形成されていてもよく、排水口も、前本体後面部の幅方向中央部を挟んで両側にそれぞれ複数形成されていてもよい。
【図面の簡単な説明】
【００５３】
【図１】実施の形態１に係るルアーを示した斜視図である。
【図２】図１に示すルアーの内部構造を示した断面図である。
【図３】図１に示すルアーの泳動時の動作状態を示した説明図である。
【図４】水受け板を装着させたルアーの泳動時の動作状態を示した説明図である。
【図５】実施の形態２に係るルアーの内部構造を示した断面図である。
【図６】図５に示すルアーの泳動時の動作状態を示した説明図である。
【図７】実施の形態３に係るルアーを示した分解斜視図である。
【図８】図７に示すルアーの内部構造を示した断面図である。
【図９】実施の形態４に係る前本体を示した説明図である。
【符号の説明】
【００５４】
１  ルアー
２  本体
３  前本体
４  後本体
５  連結手段
６  ラインアイ
７，８  フックアイ
９，１０  フック
１１ａ，１１ｂ  取水口
１２ａ，１２ｂ  排水口
１３ａ，１３ｂ  通水路
１４ａ，１４ｂ  連結具
１５  軸部
１６  環状部
１７  水受け板
１８  凹部
１９  連結柱
２０，２４  芯部
２１，２５  被覆部
２２ａ，２２ｂ  溝
２３ａ，２３ｂ，２６  開口
２７ａ，２７ｂ  側壁
【図１】
2005229910.tif 000003
【図２】
2005229910.tif 000004
【図３】
2005229910.tif 000005
【図４】
2005229910.tif 000006
【図５】
2005229910.tif 000007
【図６】
2005229910.tif 000008
【図７】
2005229910.tif 000009
【図８】
2005229910.tif 000010
【図９】
2005229910.tif 000011